(57)【要約】本発明は、コア／シェル封入体を含む液体洗濯洗剤組成物、当該封入体を含む水溶性単位用量物品、並びに当該組成物及び単位用量物品を使用する方法に関する。【特許請求の範囲】
【請求項１】
ａ．コア／シェル封入体であって、前記コアが有益剤を含み、前記有益剤が、好ましくは香料、酵素、又はこれらの混合物、好ましくは香料を含み、前記シェルが、ポリアクリレート、ポリウレタン、ポリ尿素、又はこれらの混合物を含む、コア／シェル封入体と、
ｂ．遊離香料であって、アルデヒド香料原材料、ケトン香料原材料、又はこれらの混合物を含む、遊離香料と、
ｃ．アルカノールアミンと、
ｄ．亜硫酸塩と、
ｅ．Ｃ１１〜１３直鎖状アルキルベンゼンスルホネートと
を含む液体洗濯洗剤組成物。
【請求項２】
前記液体洗濯洗剤組成物の０．１重量％〜２５重量％、好ましくは０．２重量％〜２０重量％、より好ましくは０．５重量％〜１０重量％、最も好ましくは０．７５重量％〜５重量％の前記有益剤を含む、請求項１に記載の液体洗濯洗剤組成物。
【請求項３】
前記シェルが、５０％〜１００％、より好ましくは７０％〜１００％、最も好ましくは８０％〜１００％の前記ポリアクリレートを含む、請求項１又は２に記載の方法。
【請求項４】
前記ポリアクリレートが、ポリアクリレート架橋ポリマー、好ましくは１つ以上の多官能基アクリレート部分を含む材料に由来するポリマーを含むポリアクリレート架橋ポリマーを含み、好ましくは、前記多官能基アクリレート部分が、三官能性アクリレート、四官能性アクリレート、五官能性アクリレート、六官能性アクリレート、七官能性アクリレート、及びこれらの混合物からなる群から選択され、より好ましくは、前記ポリアクリレートが、アミンアクリレート部分、メタクリレート部分、カルボン酸アクリレート部分、カルボン酸メタクリレート部分、及びこれらの組み合わせからなる群から選択される部分を含む、請求項１〜３のいずれか一項に記載の方法。
【請求項５】
前記有益剤が、香料を含み、好ましくは、前記香料が、前記香料の２．５重量％〜３０重量％、好ましくは５重量％〜３０重量％のｌｏｇＰが３．０未満かつ沸点が２５０℃未満であることを特徴とする香料原材料と、５重量％〜３０重量％、好ましくは７重量％〜２５重量％のｌｏｇＰが３．０未満かつ沸点が２５０℃超であることを特徴とする香料原材料と、３５重量％〜６０重量％、好ましくは４０重量％〜５５重量％のｌｏｇＰが３．０超かつ沸点が２５０℃未満であることを特徴とする香料原材料と、１０重量％〜４５重量％、好ましくは１２重量％〜４０重量％のｌｏｇＰが３．０超かつ沸点が２５０℃超であることを特徴とする香料原材料とを含む、請求項１〜４のいずれか一項に記載の液体洗濯洗剤組成物。
【請求項６】
前記液体洗濯洗剤組成物の０．０００５重量％〜５重量％、好ましくは０．５重量％〜３重量％、より好ましくは０．９重量％〜２．５重量％の遊離香料組成物を含み、好ましくは、前記液体洗濯洗剤組成物が、前記遊離香料の０．０００５重量％〜０．１２５重量％、好ましくは０．０００５重量％〜０．１重量％、更により好ましくは０．０００５重量％〜０．０５重量％の前記アルデヒド香料原材料、ケトン香料原材料、又はこれらの混合物を含む、請求項１〜５のいずれか一項に記載の液体洗濯洗剤組成物。
【請求項７】
前記アルデヒド香料原材料、ケトン香料原材料、又はこれらの混合物が、（２Ｅ，６Ｅ）−ノナ−２，６−ジエナール、２，６，１０−トリメチルウンデカ−９−エナール；１−メチル−４−（４−メチルペンタ−３−エニル）シクロヘキサ−３−エン−１−カルバルデヒド；（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；２−ベンジリデンヘプタナール；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；３−（４−ｔｅｒｔ−ブチルフェニル）プロパナール，（２Ｚ）−２−ベンジリデンヘキサナール；３−（４−メトキシフェニル）−２−メチルプロパナール；３，７−ジメチルオクタ−２，６−ジエナール；２−（３，７−ジメチルオクタ−６−エノキシ）アセトアルデヒド；３−（４−プロパン−２−イルフェニル）プロパナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；５−メチルヘプタ−２−エン−４−オン；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；３−（１，３−ベンゾジオキソール−５−イル）−２−メチルプロパナール；１，３−ベンゾジオキソール−５−カルバルデヒド；２−（フェニルメチリデン）オクタナール；（Ｅ）−１−（２，４，４−トリメチルシクロヘキサ−２−エン−１−イル）ブタ−２−エン−１−オン；３−（４−メチル−１−シクロヘキサ−３−エニル）ブタナール；２，６−ジメチルヘプタ−５−エナール；６−メチルヘプタ−５−エン−２−オン；メチルフェニル）メチリデン］−ヘプタナール；５，５−ジメチル−２，３，４，４ａ，６，７−ヘキサヒドロ−１Ｈ−ナフタレン−２−カルバルデヒド；２−［２−（４−メチル−１−シクロヘキサ−３−エニル）プロピル］シクロペンタン−１−オン；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物から選択され、好ましくは、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；３，７−ジメチルオクタ−２，６−ジエナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；１，３−ベンゾジオキソール−５−カルバルデヒド；２−（フェニルメチリデン）オクタナール；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択される、請求項１〜６のいずれか一項に記載の液体洗濯洗剤組成物。
【請求項８】
前記アルカノールアミンが、モノエタノールアミン、ジエタノールアミン、トリエタノールアミン、又はこれらの混合物から選択され、好ましくは、ジエタノールアミン、モノエタノールアミン、又はこれらの混合物から選択され、好ましくは、前記液体洗濯洗剤組成物が、前記液体洗濯洗剤組成物の１重量％〜１５重量％、好ましくは２重量％〜１２重量％、より好ましくは２．５重量％〜１０重量％の前記アルカノールアミンを含む、請求項１〜７のいずれか一項に記載の液体洗濯洗剤組成物。
【請求項９】
前記液体洗濯洗剤組成物の０．０１重量％〜１重量％、好ましくは０．０５重量％〜０．８重量％、より好ましくは０．１重量％〜０．５重量％の亜硫酸塩を含み、前記亜硫酸塩が、好ましくは、亜硫酸ナトリウム、亜硫酸カルシウム、亜硫酸カリウム、亜硫酸マグネシウム、亜硫酸水素塩、亜硫酸水素ナトリウム、亜硫酸水素カルシウム、亜硫酸水素カリウム、亜硫酸水素マグネシウム、及びこれらの混合物を含む、請求項１〜８のいずれか一項に記載の液体洗濯洗剤組成物。
【請求項１０】
非イオン性界面活性剤を含み、好ましくは、前記非イオン性界面活性剤が、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される、請求項１〜９のいずれか一項に記載の液体洗濯洗剤組成物。
【請求項１１】
脂肪酸、アルキルサルフェート、アルコキシル化アルキルサルフェート、又はこれらの混合物を含み、好ましくは、前記アルコキシル化アルキルサルフェートが、エトキシル化アルキルサルフェートを含む、液体洗濯洗剤組成物。
【請求項１２】
洗浄又はケアポリマー、好ましくは、エトキシル化ポリエチレンイミン、アルコキシル化ポリアルキルフェノール、両親媒性グラフトコポリマー、ポリエステルテレフタレート、ヒドロキシエチルセルロース、カルボキシメチルセルロース、又はこれらの混合物から選択される洗浄又はケアポリマーを含む、請求項１〜１１のいずれか一項に記載の液体洗濯洗剤組成物。
【請求項１３】
前記液体洗濯洗剤組成物の０．１重量％〜２０重量％、好ましくは０．５重量％〜１５重量％の水を含む、請求項１〜１２のいずれか一項に記載の液体洗濯洗剤組成物。
【請求項１４】
６〜９、好ましくは７〜８の範囲のｐＨを有する、請求項１〜１３のいずれか一項に記載の液体洗濯洗剤組成物。
【請求項１５】
水溶性フィルムと、請求項１〜１４のいずれか一項に記載の液体洗濯洗剤組成物とを含む水溶性単位用量物品であって、好ましくは、前記水溶性フィルムが、ポリビニルアルコールを含む、水溶性単位用量物品。
【請求項１６】
布地を洗浄する方法であって、前記液体洗濯洗剤組成物が少なくとも４００倍で水に希釈されて洗浄液を形成するように、請求項１〜１５のいずれか一項に記載の液体洗濯洗剤組成物又は単位用量物品を水と接触させる工程と、布地を前記洗浄液と接触させる工程とを含む、方法。
【発明の詳細な説明】
【技術分野】
【０００１】
本発明は、コア／シェル封入体を含む液体洗濯洗剤組成物、当該封入体を含む水溶性単位用量物品、並びに当該組成物及び単位用量物品を使用する方法に関する。
【背景技術】
【０００２】
液体洗濯洗剤組成物は、香料材料及び洗浄技術を含む。好ましくは、布地に対する即時及び長期的な両方の香り効果を提供するために、液体洗剤組成物は封入香料と遊離香料との混合物を含む。好ましい香りを提供するために、遊離香料はアルデヒド及び／又はケトン香料原材料を含むことが多い。封入香料は、好ましくは、カプセルからの香料の漏出を確実に最小限に抑えるために、ｌｏｇＰ＞３．０を有する香料原材料をより高い割合で含むことが好ましい。
【０００３】
しかしながら、このような液体洗剤組成物では、液体洗剤組成物が変色する及び／又は封入体から内部内容物が漏出する傾向がある。これは、審美的観点及び性能観点、特に持続性の香り性能の両方から消費者体験に悪影響を及ぼす可能性がある。
【発明の概要】
【発明が解決しようとする課題】
【０００４】
したがって、当該技術分野では、アルデヒド及び／又はケトン材料、コア／シェル封入体を含み、かつ変色及び当該封入体からの漏出が低減された液体洗濯洗剤組成物が必要とされている。アルデヒド及び／又はケトン材料、コア／シェル封入体を含み、変色及び当該封入体からの漏出が低減され、かつ布地に対する持続性の香り効果を提供する液体洗濯洗剤組成物を提供することも好ましい。
【０００５】
驚くべきことに、本発明の特定の組成物がこれら問題を克服することが見出された。
【課題を解決するための手段】
【０００６】
本発明の第１の態様は、
ａ．コア／シェル封入体であって、コアが有益剤を含み、シェルが、ポリアクリレート、ポリウレタン、ポリ尿素、又はこれらの混合物を含む、コア／シェル封入体と、
ｂ．遊離香料であって、アルデヒド香料原材料、ケトン香料原材料、又はこれらの混合物を含む、遊離香料と、
ｃ．アルカノールアミンと、
ｄ．亜硫酸塩と、
ｅ．Ｃ１１〜１３直鎖状アルキルベンゼンスルホネートと、
を含む液体洗濯洗剤組成物である。
【０００７】
本発明の第２の態様は、水溶性フィルムと、本発明に係る液体洗濯洗剤組成物とを含む水溶性単位用量物品であって、好ましくは、水溶性フィルムがポリビニルアルコールを含む、水溶性単位用量物品である。
【０００８】
本発明の第３の態様は、布地を洗浄する方法であって、液体洗濯洗剤組成物が少なくとも４００倍で水に希釈されて洗浄液を形成するように、本発明に係る液体洗濯洗剤組成物又は単位用量物品を水と接触させる工程と、布地を当該洗浄液と接触させる工程とを含む、方法である。
【発明を実施するための形態】
【０００９】
液体洗濯洗剤組成物
本発明は、液体洗濯洗剤組成物を目的とする。「液体洗濯洗剤組成物」という用語は、布地を濡らし、処理することが可能な液体を含む、任意の洗濯洗剤組成物を指し、限定するものではないが、液体、ゲル、ペースト、分散液などが挙げられる。液体組成物は、好適に細分された形態の固体又は気体を含み得るが、液体組成物は、錠剤又は顆粒などの、全体として非流動性である形態を除外する。
【００１０】
液体洗濯洗剤組成物は、コア／シェル封入体であって、コアが有益剤を含み、シェルが、ポリアクリレート、ポリウレタン、ポリ尿素、又はこれらの混合物を含む、コア／シェル封入体を含む。コア／シェル封入体については、以下でより詳細に記載される。
【００１１】
液体洗濯洗剤組成物は、遊離香料であって、アルデヒド香料原材料、ケトン香料原材料、又はこれらの混合物を含む、遊離香料を含む。遊離香料については、以下でより詳細に記載される。
【００１２】
液体洗濯洗剤組成物は、アルカノールアミンを含む。アルカノールアミンは、モノエタノールアミン、ジエタノールアミン、トリエタノールアミン、又はこれらの混合物から選択され得る。好ましくは、アルカノールアミンは、モノエタノールアミンから選択される。液体洗濯洗剤組成物は、液体洗濯洗剤組成物の１重量％〜１５重量％、好ましくは２重量％〜１２重量％、より好ましくは２．５重量％〜１０重量％のアルカノールアミンを含み得る。
【００１３】
液体洗濯洗剤組成物は、亜硫酸塩を含む。亜硫酸塩は、好ましくは、亜硫酸ナトリウム、亜硫酸カルシウム、亜硫酸カリウム、亜硫酸マグネシウム、亜硫酸水素ナトリウム、亜硫酸水素カルシウム、亜硫酸水素カリウム、亜硫酸水素マグネシウム、又はこれらの混合物を含む。液体洗濯洗剤組成物は、液体洗濯洗剤組成物の０．０１重量％〜１重量％、好ましくは０．０５重量％〜０．８重量％、より好ましくは０．１重量％〜０．５重量％の亜硫酸塩を含み得る。
【００１４】
液体洗濯洗剤組成物は、Ｃ１１〜１３直鎖状アルキルベンゼンスルホネートを含む。「直鎖状」とは、本明細書では、アルキル基が直鎖状であることを意味する。アルキルベンゼンスルホネートは、当該技術分野において周知である。
【００１５】
液体洗濯洗剤組成物は、非イオン性界面活性剤を含み得る。好ましくは、非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される。
【００１６】
液体洗濯洗剤組成物は、脂肪酸、アルキルサルフェート、アルコキシル化アルキルサルフェート、又はこれらの混合物を含み得る。
【００１７】
好ましくは、アルコキシル化アルキルサルフェートは、エトキシル化アルキルサルフェートを含む。好ましくは、エトキシル化アルキルサルフェートは、０．５〜７、好ましくは１〜５の平均エトキシル化度を含む。
【００１８】
液体洗濯洗剤組成物は、洗浄又はケアポリマーを含み得る。好ましくは、洗浄又はケアポリマーは、エトキシル化ポリエチレンイミン、アルコキシル化ポリアルキルフェノール、両親媒性グラフトコポリマー、ポリエステルテレフタレート、ヒドロキシエチルセルロース、カルボキシメチルセルロース、又はこれらの混合物から選択される。
【００１９】
液体洗濯洗剤組成物は、液体洗濯洗剤組成物の０．１重量％〜２０重量％、好ましくは０．５重量％〜１５重量％の水を含み得る。
【００２０】
液体洗濯洗剤組成物は、６〜９、好ましくは７〜８の範囲のｐＨを有し得る。
【００２１】
コア／シェル封入体
液体洗濯洗剤組成物は、コア／シェル封入体を含む。コア／シェル封入体は、シェルが破裂するまで有益剤が保持される内部空間を画定する外側シェルを含む。
【００２２】
シェルは、ポリアクリレート、ポリウレタン、ポリ尿素、又はこれらの混合物、好ましくはポリアクリレートを含む。
【００２３】
好ましくは、シェルは、５０％〜１００％、より好ましくは７０％〜１００％、最も好ましくは８０％〜１００％のポリアクリレートを含む。好ましくは、ポリアクリレートは、ポリアクリレート架橋ポリマーを含む。
【００２４】
好ましくは、シェルは、１つ以上の多官能基アクリレート部分を含む材料に由来するポリマーを含み、好ましくは当該多官能基アクリレート部分は、三官能基アクリレート、四官能基アクリレート、五官能基アクリレート、六官能基アクリレート、七官能基アクリレート、及びこれらの混合物からなる群から選択され、任意に、アミンアクリレート部分、メタクリレート部分、カルボン酸アクリレート部分、カルボン酸メタクリレート部分、及びこれらの組み合わせからなる群から選択される部分を含むポリアクリレートである。
【００２５】
好ましくは、１つ以上のメタクリレート部分を含む材料に対する１つ以上の多官能基アクリレート部分を含む材料の比は、９９９：１〜６：４、より好ましくは９９：１〜８：１、最も好ましくは９９：１〜８．５：１である。
【００２６】
シェルは、好ましくは、少なくとも２つのイソシアネート官能基を含む少なくとも１つのポリイソシアネートと、少なくとも１つのアミン、好ましくは、水溶性グアニジン塩及びグアニジンからなる群から選択されるポリアミン反応物質との重合の反応生成物であるポリ尿素、コロイド安定剤、並びに香料を含む。
【００２７】
コア／シェル封入体は、乳化剤を含み得、当該乳化剤は、好ましくは、アニオン性乳化剤、非イオン性乳化剤、カチオン性乳化剤、又はこれらの混合物から選択され、好ましくはアニオン性乳化剤である。
【００２８】
コア／シェル封入体は、当該コア／シェル封入体の０．１重量％〜１．１重量％のポリビニルアルコールを含み得る。好ましくは、ポリビニルアルコールは、少なくとも１つの以下の特性、又はこれらの組み合わせを有する：
（ｉ）５５％〜９９％の加水分解度、
（ｉｉ）２０℃において４％水溶液中４０ｍＰａ．ｓ〜１２０ｍＰａ．ｓの粘度、
（ｉｉｉ）１，５００〜２，５００の重合度、
（ｉｖ）６５，０００Ｄａ〜１１０，０００Ｄａの数平均分子量。
【００２９】
好ましくは、コア／シェル封入体は、０．５マイクロメートル〜１００マイクロメートル、好ましくは１マイクロメートル〜６０マイクロメートルの体積加重平均粒径を有する。
【００３０】
コア／シェル封入体のコアは、当該コアの１０重量％超の分配調整剤（partitioning modifier）を含み得る。好ましくは、分配調整剤は、プロパン−２−イルテトラデカノエート、植物油、変性植物油、及びこれらの混合物からなる群から選択される材料を含む。好ましくは、当該変性植物油は、エステル化及び／又は臭素化されている。好ましくは、当該分配調整剤は、プロパン−２−イルテトラデカノエートを含む。
【００３１】
液体洗濯洗剤組成物は、当該液体洗濯洗剤組成物の０．１重量％〜２５重量％、好ましくは０．２重量％〜２０重量％、より好ましくは０．５重量％〜１０重量％、最も好ましくは０．７５重量％〜５重量％の有益剤を含み得る。
【００３２】
有益剤は、香料、酵素、又はこれらの混合物を含み得る。好ましくは、有益剤は香料を含む。
【００３３】
有益剤は、香料を含み得、好ましくは、当該香料は、当該香料の２．５重量％〜３０重量％、好ましくは５重量％〜３０重量％のｌｏｇＰが３．０未満かつ沸点が２５０℃未満であることを特徴とする香料原材料と、５重量％〜３０重量％、好ましくは７重量％〜２５重量％のｌｏｇＰが３．０未満かつ沸点が２５０℃超であることを特徴とする香料原材料と、３５重量％〜６０重量％、好ましくは４０重量％〜５５重量％のｌｏｇＰが３．０超かつ沸点が２５０℃未満であることを特徴とする香料原材料と、１０重量％〜４５重量％、好ましくは１２重量％〜４０重量％のｌｏｇＰが３．０超かつ沸点が２５０℃超であることを特徴とする香料原材料とを含む。
【００３４】
遊離香料組成物：
液体洗濯洗剤は、液体洗濯洗剤組成物の０．０００５重量％〜０．５重量％、好ましくは０．５重量％〜３重量％、より好ましくは０．９重量％〜２．５重量％の遊離香料組成物を含み得、遊離香料は、アルデヒド香料原材料、ケトン香料原材料、又はこれらの混合物を含む。
【００３５】
好ましくは、液体洗濯洗剤組成物は、遊離香料の０．０００５重量％〜０．１２５重量％、より好ましくは０．０００５重量％〜０．１重量％、更により好ましくは０．０００５重量％〜０．０５重量％の、アルデヒド香料原材料、ケトン香料原材料、又はこれらの混合物を含む。
【００３６】
好ましくは、アルデヒド香料原材料、ケトン香料原材料、又はこれらの混合物は、（２Ｅ，６Ｅ）−ノナ−２，６−ジエナール、２，６，１０−トリメチルウンデカ−９−エナール、１−メチル−４−（４−メチルペンタ−３−エニル）シクロヘキサ−３−エン−１−カルバルデヒド；（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；２−ベンジリデンヘプタナール；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；３−（４−ｔｅｒｔ−ブチルフェニル）プロパナール；（２Ｚ）−２−ベンジリデンヘキサナール；３−（４−メトキシフェニル）−２−メチルプロパナール；３，７−ジメチルオクタ−２，６−ジエナール；２−（３，７−ジメチルオクタ−６−エノキシ）アセトアルデヒド；３−（４−プロパン−２−イルフェニル）プロパナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；５−メチルヘプタ−２−エン−４−オン；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；３−（１，３−ベンゾジオキソール−５−イル）−２−メチルプロパナール；１，３−ベンゾジオキソール−５−カルバルデヒド；２−（フェニルメチリデン）オクタナール；（Ｅ）−１−（２，４，４−トリメチルシクロヘキサ−２−エン−１−イル）ブタ−２−エン−１−オン；３−（４−メチル−１−シクロヘキサ−３−エニル）ブタナール；２，６−ジメチルヘプタ−５−エナール；６−メチルヘプタ−５−エン−２−オン；メチルフェニル［メチリデン］−ヘプタナール；５，５−ジメチル−２，３，４，４ａ，６，７−ヘキサヒドロ−１Ｈ−ナフタレン−２−カルバルデヒド；２−［２−（４−メチル−１−シクロヘキサ−３−エニル）プロピル］シクロペンタン−１−オン；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物から選択され、好ましくは、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；３，７−ジメチルオクタ−２，６−ジエナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；１，３−ベンゾジオキソール−５−カルバルデヒド；２−（フェニルメチリデン）オクタナール；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択される。
【００３７】
好ましくは、アルデヒド香料原材料は、（２Ｅ，６Ｅ）−ノナ−２，６−ジエナール、２，６，１０−トリメチルウンデカ−９−エナール、１−メチル−４−（４−メチルペンタ−３−エニル）シクロヘキサ−３−エン−１−カルバルデヒド；２−ベンジリデンヘプタナール；３−（４−ｔｅｒｔ−ブチルフェニル）プロパナール；（２Ｚ）−２−ベンジリデンヘキサナール；３−（４−メトキシフェニル）−２−メチルプロパナール；３，７−ジメチルオクタ−２，６−ジエナール；２−（３，７−ジメチルオクタ−６−エノキシ）アセトアルデヒド；３−（４−プロパン−２−イルフェニル）プロパナール；３−（４−プロパン−２−イルフェニル）ブタナール；４−エトキシ−３−ヒドロキシベンズアルデヒド；３−（２−エチルフェニル）−２，２−ジメチルプロパナール；３−（３−イソプロピルフェニル）ブタナール；３−（１，３−ベンゾジオキソール−５−イル）−２−メチルプロパナール；１，３−ベンゾジオキソール−５−カルバルデヒド；２−（フェニルメチリデン）オクタナール；３−（４−メチル−１−シクロヘキサ−３−エニル）ブタナール；２，６−ジメチルヘプタ−５−エナール；メチルフェニル［メチリデン］−ヘプタナール；５，５−ジメチル−２，３，４，４ａ，６，７−ヘキサヒドロ−１Ｈ−ナフタレン−２−カルバルデヒド；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物から選択され、好ましくは、３，７−ジメチルオクタ−２，６−ジエナール；３−（４−プロパン−２−イルフェニル）ブタナール；４−エトキシ−３−ヒドロキシベンズアルデヒド；３−（２−エチルフェニル）−２，２−ジメチルプロパナール；３−（３−イソプロピルフェニル）ブタナール；１，３−ベンゾジオキソール−５−カルバルデヒド；２−（フェニルメチリデン）オクタナール；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択される。
【００３８】
好ましくは、ケトン香料原材料は、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；５−メチルヘプタ−２−エン−４−オン；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；（Ｅ）−１−（２，４，４−トリメチルシクロヘキサ−２−エン−１−イル）ブタ−２−エン−１−オン；６−メチルヘプタ−５−エン−２−オン；２−［２−（４−メチル−１−シクロヘキサ−３−エニル）プロピル］シクロペンタン−１−オン、及びこれらの混合物から選択され、好ましくは、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキセン−１−イル）ブタ−３−エン−２−オン；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン、及びこれらの混合物を含む群から選択される。
【００３９】
遊離香料組成物は、当該遊離香料組成物の１重量％〜１５重量％、好ましくは２重量％〜１２．５％重量％のケトン香料原材料を含み得る。
【００４０】
遊離香料組成物は、当該遊離香料組成物の０．１重量％〜１５重量％、好ましくは０．２５重量％〜１０重量％、より好ましくは０．５重量％〜５重量％のアルデヒド香料原材料を含み得る。
【００４１】
構造化剤
液体洗濯洗剤組成物は、界面活性剤を含み得る。好適な構造化剤は、好ましくは、十分な降伏応力又は低剪断粘度を付与して、組成物の洗浄性界面活性剤の任意の構造化効果とは独立に、すなわち、当該効果以外によって、液体洗濯洗剤組成物を安定化させる成分である。好ましくは、構造化系は、２１℃、２０ｓｅｃ−１で１〜１５００ｃｐｓの高せん断粘度及び５０００ｃｐｓを超える低せん断粘度（２１℃、０．０５ｓｅｃ−１）を洗濯洗剤組成物に付与する。粘度は、直径４０ｍｍ及びギャップサイズ５００μｍで、平板の鋼製スピンドルを用いるＴＡ  ｉｎｓｔｒｕｍｅｎｔｓ製のＡＲ５５０レオメータを使用して測定される。２０ｓ−１での高せん断粘度及び０．５ｓ−１での低せん断粘度は、２１℃における３分間の０．１−１〜２５−１の対数せん断速度曲線から得ることができる。
【００４２】
構造化剤は、非ポリマー構造化剤又はポリマー構造化剤から選択され得る。構造化剤は、非ポリマー構造化剤、好ましくは、結晶化可能なグリセリドであり得る。構造化剤は、ポリマー構造化剤、好ましくは、繊維系ポリマー構造化剤、より好ましくは、セルロース繊維系構造化剤であり得る。構造化剤は、結晶化可能なグリセリド、セルロース繊維系構造化剤、ＴｉＯ２、シリカ及びこれらの混合物から選択され得る。
【００４３】
当該非ポリマー結晶性ヒドロキシル官能性構造化剤は、一般的に、最終流体洗剤組成物への分散を補助するために、事前乳化が可能な結晶性グリセリドを含むことができる。一態様では、結晶性グリセリドは、液体洗剤組成物において結晶化させることが可能な限り、水素化ヒマシ油すなわち「ＨＣＯ」、又はその誘導体を挙げることができる。
【００４４】
液体洗濯洗剤組成物は、天然由来及び／又は合成のポリマー構造化剤を含み得る。本発明において使用される天然由来のポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。本発明において使用する合成ポリマー構造化剤の例としては、ポリカルボキシレート、ポリアクリレート、疎水修飾エトキシル化ウレタン、疎水修飾非イオン性ポリオール、及びこれらの混合物が挙げられる。一態様において、当該ポリカルボキシレートポリマーは、ポリアクリレート、ポリメタクリレート、又はこれらの混合物である。別の態様では、ポリアクリレートは、不飽和モノ又はジ炭酸と、（メタ）アクリル酸のＣ１〜Ｃ３０アルキルエステルとのコポリマーである。当該コポリマーは、商標名Ｃａｒｂｏｐｏｌ  Ａｑｕａ  ３０でＮｏｖｅｏｎ  ｉｎｃから入手可能である。
【００４５】
構造化剤は、繊維系構造化剤を含み得る。構造化剤は、典型的には高いアスペクト比（長さの断面寸法に対する比）を有する、ナノサイズのセルロースフィブリルから構成される材料であるミクロフィブリル化セルロース（ＭＦＣ）を含み得る。典型的な横方向寸法は、１〜１００又は５〜２０ナノメートルであり、長手方向寸法は、ナノメートル〜数マイクロメートルの広範囲にわたる。構造化の改善のために、ミクロフィブリル化セルロースは、好ましくは、５０〜２００，０００、より好ましくは、１００〜１０，０００の平均アスペクト比（ｌ／ｄ）を有する。ミクロフィブリル化セルロースは、細菌セルロース、柑橘類繊維、及び植物（例えば、テンサイ、チコリー根、ジャガイモ、ニンジンなど）を含む任意の好適な供給源に由来し得る。当該セルロース繊維は、野菜、果物又は木材から抽出することができる。市販の例は、ＦＭＣ製のＡｖｉｃｅｌ（登録商標）、Ｆｉｂｅｒｓｔａｒ製のＣｉｔｒｉ−Ｆｉ、Ｃｏｓｕｎ製のＢｅｔａｆｉｂ、又はＢｏｒｒｅｇａａｒｄ製のＥｘｉｌｖａである。
【００４６】
水溶性単位用量物品
本発明の更なる態様は、水溶性フィルムと、本発明に係る液体洗濯洗剤組成物とを含む水溶性単位用量物品である。好ましくは、水溶性フィルムは、ポリビニルアルコールを含む。
【００４７】
水溶性単位用量物品は、単位用量物品が水溶性フィルムによって囲まれた少なくとも１つの内部区画を含むような形状の少なくとも１つの水溶性フィルムを含む。次に、少なくとも１つの区画は、液体洗濯洗剤組成物を含む。水溶性フィルムは、保管中に液体洗濯洗剤組成物が区画から漏れ出さないように封止される。しかしながら、水溶性単位用量物品を水に加えると、水溶性フィルムが溶解して、内部区画の内容物が洗浄液中に放出される。
【００４８】
区画は、液体洗濯洗剤組成物を保持する、単位用量物品内の閉じた内部空間を意味すると理解されるべきである。好ましくは、単位用量物品は、水溶性フィルムを含む。単位用量物品は、水溶性フィルムが液体洗濯洗剤組成物を完全に取り囲み、それによって液体洗濯洗剤の入っている区画が画定されるように製造される。単位用量物品は、２枚のフィルムを含み得る。第１のフィルムは、液体洗濯洗剤が内部に加えられる開口区画を構成するような形状でよい。次いで、第２のフィルムは、区画の開口部を閉じる向きで、第１のフィルムを覆う。次いで、第１及び第２のフィルムは、封止領域に沿って共に封止される。水溶性フィルムについて、以下でより詳細に説明する。
【００４９】
単位用量物品は、２つ以上の区画、更には少なくとも２つの区画、又は更には少なくとも３つの区画を含んでよい。区画は、重ね合わせる配置で、すなわち、一方が他方の上に位置するように配置されてよい。代替的に、区画は、隣り合った配置で、すなわち、一方が他方に隣接する配向で位置してよい。区画は、更には「タイヤ及びリム」構成での配置であってよく、すなわち、第１の区画は、第２の区画に隣接して位置するが、第１の区画は、第２の区画を少なくとも部分的に取り囲み、第２の区画を完全には囲まない。代替的に、１つの区画が別の区画内に完全に囲まれてもよい。
【００５０】
単位用量物品が少なくとも２つの区画を含む場合、区画の一方が他方の区画より小さくてもよい。単位用量物品が少なくとも３つの区画を含む場合、区画のうちの２つが第３の区画より小さくてもよく、好ましくは、小さい方の区画が大きい方の区画上に重ね合わせられている。重ね合わせられた区画は、好ましくは、隣り合って配置される。
【００５１】
複数区画の配置において、本発明に係る液体洗濯洗剤が、区画のうちの少なくとも１つに含まれてもよい。例えば、洗濯洗剤組成物は１つの区画のみに含まれてもよく、あるいは２つの区画、又は更には３つの区画に含まれてもよい。
【００５２】
各区画は、同一の組成物又は異なる組成物を含んでもよい。異なる組成物は全て同一形態であってもよく、又は異なる形態であってもよい。
【００５３】
水溶性単位用量物品は、少なくとも２つの内部区画を含み得、液体洗濯洗剤組成物がこの区画のうちの少なくとも１つの中に含まれ、好ましくは、単位用量物品は少なくとも３つの区画を含み、液体洗濯洗剤組成物がこの区画のうちの少なくとも１つの中に含まれる。
【００５４】
本発明のフィルムは、水に可溶性又は分散性であり、少なくとも１種のポリビニルアルコール又はそのコポリマーを含む。好ましくは、水溶性フィルムは、少なくとも２種の異なるポリビニルアルコールのホモポリマー、少なくとも２種の異なるポリビニルアルコールのコポリマー、少なくとも１種のポリビニルアルコールのホモポリマー、少なくとも１種のポリビニルアルコールのコポリマー、又はこれらの組み合わせの配合物を含む。
【００５５】
好ましくは、水溶性フィルムの厚さは、２０〜１５０μｍ、好ましくは３５〜１２５μｍ、更により好ましくは５０〜１１０μｍ、最も好ましくは７０〜９０μｍ、特に約７６μｍである。本明細書において、フィルム厚さとは、製造中に何らかの変形を受ける前のフィルムの厚さを意味する。
【００５６】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
予め秤量した３Ｌのビーカーに、５グラム±０．１グラムのフィルム材料を入れ、２Ｌ±５ｍＬの蒸留水を添加する。これを、電磁攪拌器（Ｌａｂｌｉｎｅモデル番号１２５０又は等価物）及び５ｃｍの電磁攪拌子により、３０℃にて３０分間、６００ｒｐｍで激しく攪拌する。次いで、混合物を、上記で定義した孔径（最大２０μｍ）の折り畳んだ定性分析用焼結ガラスフィルタにより濾過する。任意の従来の方法によって、回収した濾液から水を乾燥させ、残った材料の重量を求める（これが溶解画分又は分散画分である）。次いで、溶解度又は分散性の百分率を計算することができる。
【００５７】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００５８】
パウチ材料として使用するのに好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００５９】
好ましくは、水溶性単位用量物品は、ポリビニルアルコールを含む。
【００６０】
また、ポリマーの混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーの水溶性が別のポリマーよりも高く、及び／又は１つのポリマーの機械的強度が別のポリマーよりも高い、混合物が挙げられる。また、異なる重量平均分子量を有するポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。また、ポリマーブレンド組成物、例えば、加水分解により分解可能な水溶性のポリマーブレンド（ポリラクチド及びポリビニルアルコールを混合することにより得られ、典型的には約１〜３５重量％のポリラクチドと、約６５〜９９重量％のポリビニルアルコールとを含む、ポリラクチドとポリビニルアルコールとのポリマーブレンドなど）を含むポリマーブレンド組成物も、本明細書において好適である。
【００６１】
本明細書において使用するのに好ましいものは、約６０％〜約９８％加水分解され、好ましくは約８０％〜約９０％加水分解され、材料の溶解特性が向上したＰＶＡポリマーである。
【００６２】
好ましいフィルムは、冷水、すなわち、加熱されていない蒸留水中で良好な溶解を示すものである。好ましくは、このようなフィルムは、２４℃、更により好ましくは１０℃の温度で、良好な溶解を示す。良好な溶解とは、上述の最大孔径が２０μｍのガラスフィルタの使用後に、本明細書に記載の方法により測定したフィルムの示す水溶性が、少なくとも５０％、好ましくは少なくとも７５％、又は更には少なくとも９５％であることを意味する。
【００６３】
好ましいフィルムは、Ｍｏｎｏｓｏｌにより供給されるものである。
【００６４】
ＰＶＡ樹脂は、本明細書に記載されるフィルム内の全ＰＶＡ樹脂含有量の、約３０〜約８５重量％の第１のＰＶＡポリマー、又は約４５〜約５５重量％の第１のＰＶＡポリマーを含むことができる。例えば、ＰＶＡ樹脂は、各ＰＶＡポリマーを約５０重量％含有することができ、第１のＰＶＡポリマーの粘度が約１３ｃＰであり、第２のＰＶＡポリマーの粘度が約２３ｃＰである（２０℃で脱塩水中の４％ポリマー溶液として測定）。
【００６５】
好ましくは、このフィルムは、少なくとも２つの異なるポリビニルアルコールホモポリマー及び／又はコポリマーの配合物を含む。
【００６６】
最も好ましくは、この水溶性フィルムは、少なくとも２つの異なるポリビニルアルコールホモポリマーの配合物を含み、特に、水溶性フィルムは、平均分子量が異なる少なくとも２つの異なるポリビニルアルコールホモポリマーの配合物を含み、特に、２つの異なるポリビニルアルコールホモポリマーの配合物であって、第１のＰＶＯＨホモポリマーと第２のＰＶＯＨホモポリマーについて、平均粘度の差の絶対値｜μ２−μ１｜が、脱塩水中の４％ポリマー溶液として測定したとき、５ｃＰ〜約１５ｃＰの範囲であり、かつ、両方のホモポリマーが、８５％〜９５％、好ましくは８５％〜９０％の平均加水分解度を有する、２つの異なるポリビニルアルコールホモポリマーの配合物を含む。第１のホモポリマーは好ましくは、平均粘度が１０〜２０ｃＰ、好ましくは１０〜１５ｃＰであり、第２のホモポリマーは好ましくは、平均粘度が２０〜３０ｃＰ、好ましくは２０〜２５ｃＰである。最も好ましくは、この２つのホモポリマーは、４０／６０〜６０／４０の重量％の比率で配合される。
【００６７】
あるいは、この水溶性フィルムは、ポリビニルアルコールとアニオン変性モノマー単位とを含む少なくとも１種のコポリマーを含有するポリマーブレンドを含む。特に、このポリマーブレンドは、ポリビニルアルコールホモポリマーと、ポリビニルアルコール及びアニオン変性モノマー単位を含むコポリマーとを、９０／１０〜５０／５０の重量％比率で含み得る。あるいは、このポリマーブレンドは、ポリビニルアルコール及びアニオン変性モノマー単位を含む２つの異なるコポリマーを、９０／１０〜１０／９０の重量％比率で含み得る。
【００６８】
ＰＶＯＨコポリマーに使用できるアニオン性モノマー単位の一般的な種類は、モノカルボン酸ビニルモノマー、そのエステル及び無水物、重合可能な二重結合を有するジカルボン酸モノマー、そのエステル及び無水物、ビニルスルホン酸モノマー、及び上記のいずれかのアルカリ金属塩、に対応するビニル重合単位を含む。好適なアニオン性モノマー単位の例としては、ビニルアニオン性モノマーに対応するビニル重合単位が挙げられ、このビニルアニオン性モノマーには、ビニル酢酸、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記のアルカリ金属塩（例えば、ナトリウム塩、カリウム塩、又は他のアルカリ金属塩）、上記のエステル（例えば、メチル、エチル、又は他のＣ１〜Ｃ４若しくはＣ６アルキルエステル）、及びこれらの組み合わせ（例えば、複数のタイプのアニオン性モノマー、又は同じアニオン性モノマーの同等物）が挙げられる。一態様において、このアニオン性モノマーは、アクリルアミドメチルプロパンスルホン酸（例えば、２−アクリルアミド−１−メチルプロパンスルホン酸、２−アクリルアミド−２−メチルプロパンスルホン酸、２−メチルアクリルアミド−２−メチルプロパンスルホン酸）、そのアルカリ金属塩（例えば、ナトリウム塩）、及びこれらの組み合わせのうちの１つ以上であり得る。一態様において、このアニオン性モノマーは、マレイン酸モノメチル、そのアルカリ金属塩（例えば、ナトリウム塩）、及びこれらの組み合わせのうちの１つ以上であり得る。
【００６９】
ＰＶＯＨコポリマーにおける１種以上のアニオン性モノマー単位の組み込みのレベルは、特に限定されない。いくつかの態様では、１種以上のアニオン性モノマー単位は、個々に又はまとめて、約２モル％〜約１０モル％の範囲（例えば、様々な実施形態では、少なくとも２．０、２．５、３．０、３．５、若しくは４．０モル％及び／又は最大約３．０、４．０、４．５、５．０、６．０、８．０、若しくは１０モル％）の量でＰＶＯＨコポリマー中に存在する。
【００７０】
当然のことながら、異なるフィルム材料及び／又は異なる厚さのフィルムを、本発明の区画の作製に用いてよい。異なるフィルムを選択する利点は、得られる区画が、異なる溶解性又は放出特性を示し得ることである。
【００７１】
また、本明細書のフィルム材料は、１つ以上の添加剤含有成分を含んでもよい。例えば、可塑剤、例えばグリセロール、エチレングリコール、ジエチレングリコール、プロピレングリコール、ジプロピレングリコール、ソルビトール、及びこれらの混合物を加えることが有益であり得る。他の添加剤としては、水、及び、洗浄水に送達される、界面活性剤などの機能性洗剤添加剤、例えば有機ポリマー分散剤などを挙げることができる。
【００７２】
フィルムは、不透明、透明又は半透明であってもよい。フィルムは、印刷された領域を含んでもよい。印刷された領域は、フィルム表面の１０〜８０％、又は区画の内部空間と接触しているフィルム表面の１０〜８０％、又はフィルム表面の１０〜８０％及び区画表面の１０〜８０％に及んでいてよい。
【００７３】
印刷領域は、フィルムの連続した部分に及んでいてもよく、又は連続した部分の一部に及んでいてもよく、すなわちより狭い印刷領域を構成してもよく、その合計は、フィルム表面若しくは区画の内部空間と接触するフィルム表面、又はその両方の１０〜８０％を占める。
【００７４】
印刷領域は、インク、顔料、染料、青味剤、又はこれらの混合物を含んでよい。印刷領域は、不透明でも、半透明でも、透明でもよい。
【００７５】
印刷領域は単色を含んでもよく、又は複数色、更には３色を含んでもよい。印刷領域は、白色、黒色、青色、赤色、又はこれらの混色を含んでもよい。印刷は、フィルム表面上に層として存在していてもよく、又はフィルム内に少なくとも部分的に浸透していてもよい。フィルムは、第１の面及び第２の面を含む。印刷領域は、フィルムのいずれかの片面上に存在してよく、又はフィルムの両面上に存在してよい。あるいは、印刷領域は、フィルム本体内に少なくとも部分的に含まれてよい。
【００７６】
印刷領域はインクを含んでもよく、インクは顔料を含む。フィルム上に印刷するためのインクは、好ましくは所望の水中分散等級のものである。インクは、白色、赤色、及び黒色をはじめとする任意の色でよい。インクは、重量当たり１０％〜８０％、又は２０％〜６０％、又は２５％〜４５％の水を含む水性インクでよい。インクは、重量当たり２０％〜９０％、又は４０％〜８０％、又は５０％〜７５％の固形分を含んでもよい。
【００７７】
インクの粘度は、剪断速度１０００ｓ−１、２０℃で測定して、１〜６００ｃＰｓ、又は５０〜３５０ｃＰｓ、又は１００〜３００ｃＰｓ、又は１５０〜２５０ｃＰｓであってよい。この測定値は、ＴＡ  Ｉｎｓｔｒｕｍｅｎｔｓ  ＡＲ−５５０レオメータでコーンプレート型を用いて得ることができる。
【００７８】
印刷領域は、フレキソ印刷又はインクジェット印刷などの標準的な技術を使用して得ることができる。好ましくは、印刷領域はフレキソ印刷によって得られ、この場合、フィルムが印刷された後、開口区画の形状に成形される。次に、この区画に洗剤組成物が充填され、また区画上方に第２のフィルムが配置され、かつ第１のフィルムへと封止される。印刷領域は、フィルムの片面上にあっても、両面上にあってもよい。
【００７９】
あるいは、フィルムの全部又は少なくとも一部が着色されるように、インク又は顔料をフィルムの製造中に追加してよい。
【００８０】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｐｐｍが挙げられるが、これらに限定されない。
【００８１】
布地洗浄方法
本発明の更なる態様は、布地を洗浄する方法であって、液体洗濯洗剤組成物が少なくとも４００倍で水に希釈されて洗浄液を形成するように本発明に係る液体洗濯洗剤組成物又は単位用量物品を水と接触させる工程と、布地を当該洗浄液と接触させる工程とを含む、方法である。
【００８２】
作製方法
当業者は、コア／シェル封入体を作製するために使用することができる標準的な技術を認識しているであろう。好ましくは、コア／シェル封入体は、界面重合法によって作製される。
【００８３】
コア／シェル封入体を作製する好ましい方法は、以下の工程を含む：
ａ）有益剤中のアクリレートモノマー及び／又はアクリレートオリゴマー、好ましくはメタクリレートモノマー及び／又はメタクリレートオリゴマーを、
ｉ）アミンアクリレート及び／若しくはメタクリレート並びに強酸、又は
ｉｉ）カルボン酸アクリレート及び／若しくはメタクリレートモノマー並びに強塩基、又は
ｉｉｉ）アミンアクリレート及び／若しくはメタクリレートモノマー並びにカルボン酸アクリレート及び／若しくはカルボン酸メタクリレートモノマー
を含む組成物と反応させて、コア組成物を形成する工程、
ｂ）当該コア組成物、好ましくはアニオン性、カチオン性、中性の界面活性剤、又はこれらの混合物から選択される界面活性剤、及び水を含むエマルションを形成する工程、
ｃ）十分な量の熱、紫外線、及び／又は電子ビームエネルギーを当該エマルションに印加して、十分なフリーラジカル重合を誘導することによって当該エマルションを硬化させて、当該有益剤と、アクリレートを含むシェルとを含み、当該シェルが当該有益剤を封入する、コア／シェル封入体を形成する工程。
【００８４】
使用に好適な装置としては、連続撹拌槽型反応器、ホモジナイザ、タービン撹拌器、再循環ポンプ、パドルミキサ、プラウせん断ミキサ、リボンブレンダ、バッチ及び利用可能な場合は連続プロセス構成の両方の垂直軸造粒機及びドラムミキサ、噴霧乾燥器、並びに押出成形機を挙げることができる。このような装置は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，ＵＳＡ）、Ａｒｄｅ  Ｂａｒｉｎｃｏ（Ｎｅｗ  Ｊｅｒｓｅｙ，ＵＳＡ）から入手可能である。
【００８５】
当業者には、本発明の液体洗剤組成物を製造するための方法が理解されよう。当業者には、この液体洗剤組成物を製造するための標準的な方法及び機器が理解されよう。
【００８６】
当業者には、本単位用量物品を製造するための標準的な技法が理解されよう。熱成形技術及び真空成形技術を含むがこれらに限定されない標準的な形成プロセスを利用することができる。
【００８７】
本発明に係る水溶性単位用量物品の好ましい製造方法は、第１の水溶性フィルムを成形型内で成形して開放キャビティを形成する工程と、そのキャビティに液体洗剤組成物を充填する工程と、第１のフィルム上に第２のフィルムを置いてキャビティを閉じる工程と、第１のフィルムと第２のフィルムとを互いに封止して水溶性単位用量物品を作製する工程と、を含む。
【００８８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００８９】
封入体内に封入された香料を定量する方法。
封入体内に封入された香料、香料成分、又は香料原材料（Perfume Raw Materials、ＰＲＭ）のアイデンティティを決定し、重量を定量するために、質量分析／炎イオン化検出器を備えるガスクロマトグラフィー（Gas Chromatography with Mass Spectroscopy/Flame Ionization Detector、ＧＣ−ＭＳ／ＦＩＤ）を用いる。好適な装置としては、Ａｇｉｌｅｎｔ  Ｔｅｃｈｎｏｌｏｇｉｅｓ  Ｇ１５３０Ａ  ＧＣ／ＦＩＤ、Ｈｅｗｌｅｔｔ  Ｐａｃｋｅｒｄ  Ｍａｓｓ  Ｓｅｌｅｃｔｉｖｅ  Ｄｅｖｉｃｅ  ５９７３、及び５％−フェニル−メチルポリシロキサンカラムＪ＆Ｗ  ＤＢ−５（長さ３０ｍ×内径０．２５ｍｍ×フィルム厚０．２５μｍ）が挙げられる。約３ｇの最終製品又は封入体懸濁液を計量し、重量を記録し、次いで、サンプルを３０ｍＬの脱イオン水で希釈し、孔径５．０μｍのニトロセルロースフィルター膜を通して濾過する。フィルター上に捕捉された材料を、５ｍＬのＴＤ溶液（無水アルコール中２５．０ｍｇ／Ｌテトラデカン）で可溶化し、６０℃で３０分間加熱する。冷却した溶液を、孔径０．４５μｍのＰＴＦＥシリンジフィルターを通して濾過し、質量分析計検出器／火炎イオン化検出器を備えるガスクロマトグラフィー（ＧＣ−ＭＳ／ＦＩＤ）によって分析する。３つの既知の香油を比較標準物質として使用する。データ分析は、ＴＤ面積カウントを減じた総面積カウントを合計することと、３つの標準香料の平均応答係数（Response Factor、ＲＦ）を計算することとを含む。次いで、香料をカプセル化した製品の応答係数及び総面積カウントを、試料の重量とともに使用して、カプセル化された香料中の各ＰＲＭの総重量パーセントを決定する。質量分析ピークからＰＲＭを特定する。
【００９０】
液−液抽出及びＧＣ−ＭＳ分析による液体洗濯洗剤中の封入体からの香料漏出率の決定手順
液体洗濯洗剤中の封入体からの香料漏出率を決定する場合には、等しい濃度の遊離香料（封入体を有さない）を含む新たな液体洗剤も参照のために並行して分析しなければならない。
【００９１】
１．ＴＤ溶液の調製
−トナリドの原液：７０ｍｇのトナリドを秤量し、２０ｍＬのヘキサンを添加する。
−ＴＤ溶液：２０ｍＬのヘキサンで２００μＬの原液を希釈する。
−均質化するように混合する。
【００９２】
２．香料封入体を有さない液体洗濯洗剤（参照）からの香料抽出
−液体洗濯洗剤２ｇを抽出容器（２５ｍＬのバイアル）に量り入れる。
−ＴＤ溶液２ｍＬを加え、容器を閉じる。
−抽出容器を２０回手で上下逆に穏やかにひっくり返し、香料を抽出する。
−層の分離後、直ちにヘキサン層をＧＣオートサンプラーバイアルに入れ、バイアルの蓋をする。
−ＧＣ注入ポートにスプリットレス注入（１．５μＬ）する。
−ＧＣ／ＭＳ分析を実行する。
【００９３】
３．封入体を有する液体洗濯洗剤からの香料抽出
−液体洗濯洗剤２ｇを抽出容器（２５ｍＬのバイアル）に量り入れる。
−ＴＤ溶液２ｍＬを加え、容器を閉じる。
−抽出容器を２０回手で上下逆に穏やかにひっくり返し、香料を抽出する。
−層の分離後、直ちにヘキサン層をＧＣオートサンプラーバイアルに入れ、バイアルの蓋をする。
−ＧＣ注入ポートにスプリットレス注入（１．５μＬ）する。
−ＧＣ／ＭＳ分析を実行する。
【００９４】
４．計算
−個々の香料原材料ごとの封入体からの香料漏出：
【００９５】
【数１】
2020510110.tif 000002
【００９６】
オクタノール／水分配係数（ｌｏｇＰ）を決定するための試験方法
試験される香料混合物中の各香料原材料（ＰＲＭ）について、オクタノール／水分配係数（ｌｏｇＰ）の値を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（Ｔｏｒｏｎｔｏ、Ｃａｎａｄａ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ（登録商標））を用いて計算され、無単位のｌｏｇＰ値が得られる。ＡＣＤ／ＬａｂのＣｏｎｓｅｎｓｕｓ  ｌｏｇＰ  Ｃｏｍｐｕｔａｔｉｏｎａｌ  Ｍｏｄｅｌは、ＡＣＤ／実験室モデルの装置の一部である。
【実施例】
【００９７】
以下は、液体組成物がＰＶＡフィルム内に封入される単位用量の実施例である。本実施例で使用される好ましいフィルムは、厚さ７６μｍのＭｏｎｏｓｏｌ  Ｍ８６３０である。
【００９８】
【表１】
2020510110.tif 000003
１−ＮＨあたり２０個のエトキシレート基を有するポリエチレンイミン（ＭＷ＝６００）。
２遊離香料は、２．５％の合計アルデヒド及びケトン香料原材料を含む。
３ポリビニルホルムアミド付着助剤でコーティングされたメラミンホルムアルデヒド（Melamine Formaldehyde、ＭＦ）香料カプセル。
好適な香料カプセルは、Ｅｎｃａｐｓｙｓ，（８２５  Ｅａｓｔ  Ｗｉｓｃｏｎｓｉｎ  Ａｖｅ，Ａｐｐｌｅｔｏｎ，ＷＩ  ５４９１１）から購入することができ、以下のとおり作製される：２５グラムのブチルアクリレート−アクリル酸コポリマー乳化剤（Ｃｏｌｌｏｉｄ  Ｃ３５１、２５％固形分、ｐＫａ４．５〜４．７、（Ｋｅｍｉｒａ  Ｃｈｅｍｉｃａｌｓ，Ｉｎｃ．（Ｋｅｎｎｅｓａｗ，Ｇｅｏｒｇｉａ  Ｕ．Ｓ．Ａ．））を２００グラムの脱イオン水に溶解させ、混合する。水酸化ナトリウム溶液を用いて溶液のｐＨをｐＨ４．０に調整する。部分的にメチル化されたメチロールメラミン樹脂（Ｃｙｍｅｌ３８５、８０％固形分（Ｃｙｔｅｃ  Ｉｎｄｕｓｔｒｉｅｓ  Ｗｅｓｔ  Ｐａｔｅｒｓｏｎ（Ｎｅｗ  Ｊｅｒｓｅｙ，Ｕ．Ｓ．Ａ．））８グラムを乳化剤溶液に添加する。２００グラムの香油を機械的撹拌下で前述の混合物に添加し、温度を５０℃に上げる。安定なエマルションが得られるまでより高速で混合した後、第２の溶液及び４グラムの硫酸ナトリウム塩をエマルションに添加する。この第２の溶液は、１０グラムのブチルアクリレート−アクリル酸コポリマー乳化剤（Ｃｏｌｌｏｉｄ  Ｃ３５１、２５％固形分、ｐＫａ４．５〜４．７、Ｋｅｍｉｒａ）、１２０グラムの蒸留水、ｐＨを４．８に調整するための水酸化ナトリウム溶液、２５グラムの部分的にメチル化されたメチロールメラミン樹脂（Ｃｙｍｅｌ  ３８５、８０％固形分、Ｃｙｔｅｃ）を含有する。この混合物を８５℃に加熱し、連続的に撹拌しながら一晩維持して、封入プロセスを完了させる。１８マイクロメートルの体積平均粒径が得られる。上記に従って得られた香料カプセルの水性懸濁液１４ミリリットルを２０ミリリットルの遠心管に入れる。６つの同一のチューブを準備し、バッチ遠心器（ＩＥＣ  Ｃｅｎｔｒａ  ＣＬ２）に配置する。３８００ＲＰＭで２０分間の後、遠心管を取り出したところ、３つの層：最上層の香料カプセルケーキ層、続いて水層、続いて高密度固体粒子層が観察される。最上層のカプセル層を残りの材料から分離し、再構成して、相安定性懸濁液を作製する。最上層の香料カプセル層２０．８グラムにＤＩ水１０．６グラムを添加し、次いで、尿素（Ｐｏｔａｓｈ  Ｃｏｒｐｏｒａｔｉｏｎ）１．６グラム、Ｏｐｔｉｘａｎキサンタンガム（ＡＤＭ  Ｃｏｒｐｏｒａｔｉｏｎ）の１重量％水溶液６．０ｇ、及び３２重量％塩化マグネシウム溶液（Ｃｈｅｍｉｃａｌ  Ｖｅｎｔｕｒｅｓ）２．４ｇを添加する。ポリビニルアミン及びＮ−ビニルホルムアミドのカチオン変性コポリマー（ＢＡＳＦ  Ｃｏｒｐ）０．５グラムを添加する。
４香料を封入するポリアクリレート系カプセル。
好適な香料カプセルは、Ｅｎｃａｐｓｙｓ（８２５  Ｅａｓｔ  Ｗｉｓｃｏｎｓｉｎ  Ａｖｅ，Ａｐｐｌｅｔｏｎ，ＷＩ  ５４９１１）から購入することができ、以下のとおり作製される：３７．５ｇの香料、０．２ｇのｔｅｒｔ−ブチルアミノエチルメトアクリレート、及び０．２ｇのベータヒドロキシエチルアクリレートからなる第１の油相を約１時間混合した後、１８ｇのＣＮ９７５（Ｓａｒｔｏｍｅｒ，Ｅｘｔｅｒ，ＰＡ）を添加する。プロセスにおいて後で必要になるまで溶液を混合する。
６５ｇの香油、８４ｇのミリスチン酸イソプロピル、１ｇの２，２’−アゾビス（２−メチルブチロニトリル）、及び０．８ｇの４，４’−アゾビス［４−シアノ吉草酸］からなる第２の油相をジャケット付き鋼製反応器に添加する。反応器を３５℃で維持し、２”の平刃ミキサを用いて油溶液を５００ｒｐｍで混合する。３００ｃｃ／分の速度で窒素ブランケットを反応器に適用する。溶液を４５分間で７０℃まで加熱し、７０℃で４５分間維持した後、７５分間で５０℃まで冷却する。５０℃で、第１の油相を添加し、合わせた油を５０℃で更に１０分間混合する。
５％固形分のＣｅｌｖｏｌ  ５４０  ＰＶＡ（Ｓｅｋｉｓｕｉ  Ｓｐｅｃｉａｌｔｙ  Ｃｈｅｍｉｃａｌｓ（Ｄａｌｌａｓ，ＴＸ））８５ｇ、水２６８ｇ、４，４’−アゾビス［４−シアノ吉草酸］１．２ｇ、及び２１．５％ＮａＯＨ１．１ｇを含有する水相を調製し、４，４’−アゾビス［４−シアノ吉草酸］が溶解するまで混合する。このバッチの水相のｐＨは、４．９０であった。
油相の温度が５０℃まで低下したら、混合を停止し、水相を混合油に添加する。高せん断攪拌を適用して、所望のサイズ特性のエマルションを生成する（１９００ｒｐｍで６０分間）。
温度を３０分間で７５℃まで上昇させ、７５℃で４時間維持し、３０分間で９５℃まで加熱し、９５℃で６時間維持した。このバッチを室温まで冷ました。
【００９９】
データ
表１中の漏出データは、有益剤がメラミンホルムアルデヒド（ＭＦ）系カプセルに封入されている場合に対して、液体組成物がポリアクリレート系カプセルに封入された有益剤を含む場合、亜硫酸カリウム（Ｋ２ＳＯ３）の存在下における漏出が最小限に抑えられることを示す。
【０１００】
【表２】
2020510110.tif 000004
【０１０１】
表２中の色安定性データは、有益剤がメラミンホルムアルデヒド（ＭＦ）系カプセルに封入されている場合に対して、液体組成物がポリアクリレート系カプセルに封入された有益剤を含む場合、亜硫酸カリウム（Ｋ２ＳＯ３）の存在下における色安定性が改善されることを示す。
【０１０２】
様々な組成物及び香料の組み合わせの色安定性を経時的に試験した。５０℃で４週間試験サンプルをエージングすることによって、液体洗濯洗剤組成物の色安定性を試験した。新たなサンプル及びエージングしたサンプルの色を、ＨｕｎｔｅｒＬａｂによるＣｏｌｏｒＱｕｅｓｔ  ＸＥ分光光度計並びにＬ＊、ａ＊及びｂ＊値を用いて測定した。エージングさせたサンプル対新たなサンプルについてデルタｂ＊（Δｂ）値を計算した。未処理で（as fresh）及び４週間時点で分光光度測定を実施した。
【０１０３】
【表３】
2020510110.tif 000005
【０１０４】
ｂにおける正の変化Δｂがより大きいことは、コーティングされたメラミンホルムアルデヒドカプセルを含む組成物が、ポリアクリレート系香料カプセルを含む組成物よりも黄色の方に変色していることを意味する。
【０１０５】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【０１０６】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語のいずれかの意味又は定義が、援用文献における同一の用語のいずれかの意味又は定義と矛盾する場合には、本文書においてその用語に与えられた意味又は定義が優先するものとする。
【０１０７】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2020510110.tif 000006
2020510110.tif 000007
2020510110.tif 000008